(57)【要約】【課題】厚さの異なるカメラに共用可能なレンズアダプタを提供する。【解決手段】レンズアダプタ１は、光学素子２が組み付けられていてカメラの前面側に配置される前面部３と、後面側に配置される後面部４と、前面部３と後面部４の上端部を連結している連結部５と、によって略コの字状に形成されている。連結部５は、前面部３の上端部に略直角に設けられた第１の重ね合せ部７と、後面部４の上端部に略直角に設けられて前面部３と後面部４を対向させた状態で第１の重ね合せ部７に重ね合わされる第２の重ね合せ部８と、第１の重ね合せ部７と第２の重ね合せ部８を前面部３と後面部４が互いに接近或いは離間する方向にスライド可能に結合しているスライドガイド部９と、前面部３と後面部４を互いに接近する方向に付勢しているスプリング１０と、で構成されている。後面部４は透明な素材で形成されている。【選択図】図９
2008209457.tif 000002
【特許請求の範囲】
【請求項１】
光学素子が組み付けられていて撮像装置の前面側に位置する前面部と、
上記撮像装置の後面側に位置する後面部と、
上記前面部と上記後面部の上端部を連結している連結部と、
によって略コの字状に形成されて、上記前面部と上記後面部で上記撮像装置の前面と後面を挟んで上記撮像装置に組付けられる挟着方式のレンズアダプタであって、
上記連結部は、
上記前面部の上端部に該前面部に対して略直角に設けられた第１の重ね合せ部と、上記後面部の上端部に該後面部に対して略直角に設けられて上記前面部と上記後面部を対向させた状態で上記第１の重ね合せ部に重ね合わされる第２の重ね合せ部と、
上記第１の重ね合せ部と上記第２の重ね合せ部を上記前面部と上記後面部が互いに接近する方向と互いに離間する方向にスライド可能に結合しているスライドガイド部と、
上記後面部が上記前面部に接近する方向に上記第２の重ね合せ部を付勢しているスプリングと、
を備えていることを特徴とするレンズアダプタ。
【請求項２】
上記スライドガイド部は、
上記第１の重ね合せ部または上記第２の重ね合せ部の一方の重ね合せ部に並列に形成された一対の長孔と、
上記第１の重ね合せ部または上記第２の重ね合せ部の他方の重ね合せ部に形成されて上記一対の長孔内に挿入されて上記長孔内を移動する一対のガイド軸と、
を備えていることを特徴とする請求項１に記載のレンズアダプタ。
【請求項３】
上記スプリングは、上記第１の重ね合せ部に設けられた第１のスプリング係止部と、
上記第２の重ね合せ部に設けられた第２のスプリング係止部と、の間に介在されていて、上記前面部と上記後面部を互いに接近する方向に付勢していることを特徴とする請求項１に記載のレンズアダプタ。
【請求項４】
上記前面部は、方形の枠状に形成されていて内周に上記光学素子が組み付けられていることを特徴とする請求項１に記載のレンズアダプタ。
【請求項５】
上記後面部は、透明な素材で形成されていることを特徴とする請求項１に記載のレンズアダプタ。
【請求項６】
上記前面部は、撮像装置の前面と対向する内面側に上記撮像装置の前面に接触する撮像装置接触部を有するスペーサを備えていることを特徴とする請求項１に記載のレンズアダプタ。
【請求項７】
上記撮像装置接触部は、弾性を有する素材で形成されていることを特徴とする請求項６に記載のレンズアダプタ。
【請求項８】
上記スペーサは、上記前面部に対して着脱可能になっていることを特徴とする請求項６に記載のレンズアダプタ。
【請求項９】
上記スペーサは、
上記方形の枠状に形成された前面部に嵌合される枠状部と、
上記枠状部の下端部に該枠状部と略直角に形成されていて上記第１の重ね合せ部の内面に重ね合せる上面部と、
上記枠状部の一側部から上記重合部の一側部に連続する側面部と、
を備えていることを特徴とする請求項８に記載のレンズアダプタ。
【発明の詳細な説明】
【技術分野】
【０００１】
本発明は、デジタルスチルカメラ等の撮像装置の撮像レンズの倍率を広角あるいは望遠等に変換するコンバージョンレンズやフィルター等の光学素子を備え、上記撮像装置に着脱自在に取り付けて使用されるレンズアダプタに関するものである。
【背景技術】
【０００２】
上記レンズアダプタには、撮像装置のレンズ鏡筒の先端に形成された雌ねじに螺合して取り付ける螺合方式（例えば、特許文献１）のものと、撮像装置の筐体の前後面を挟むように取り付ける挟着方式（例えば、特許文献１）のものが知られている。
【特許文献１】特開平８−２４８４９７号公報
【特許文献１】特開２００４−２６４３６７号公報
【発明の開示】
【発明が解決しようとする課題】
【０００３】
上記雌ねじに螺合して取り付ける螺合方式のものレンズアダプタは、当然のことながらレンズ鏡筒の先端に雌ねじが形成されていない撮像装置には使用することができない。小型化、薄型化が進んでいる所謂カード型のデジタルスチルカメラ等においては、レンズ鏡筒の先端に雌ねじが形成されていない場合が多い。
【０００４】
一方、撮像装置の筐体を覆うように取り付ける挟着方式のレンズアダプタは、撮像装置の筐体への着脱が面倒で、且つ厚さの異なる撮像装置には使用することが難しいという問題点があった。
【０００５】
本発明の目的は、レンズ鏡筒の先端に雌ねじが形成されていない撮像装置にも使用でき、且つ厚さの異なる撮像装置にも広く共用することのできる挟着方式のレンズアダプタを提供することにある。
【課題を解決するための手段】
【０００６】
本発明は、光学素子が組み付けられていて撮像装置の前面側に位置する前面部と、上記撮像装置の後面側に位置する後面部と、上記前面部と上記後面部の上端部を連結している連結部と、によって略コの字状に形成されて、上記前面部と上記後面部で上記撮像装置の前面と後面を挟んで上記撮像装置に組付けられて使用される挟着方式のレンズアダプタであって、
上記連結部を、上記前面部の上端部に該前面部に対して略直角に設けられた第１の重ね合せ部と、上記後面部の上端部に該後面部に対して略直角に設けられて上記前面部と上記後面部を対向させた状態で上記第１の重ね合せ部に重ね合わされる第２の重ね合せ部と、上記第１の重ね合せ部と上記第２の重ね合せ部を上記前面部と上記後面部が互いに接近する方向と互いに離間する方向にスライド可能に結合しているスライドガイド部と、上記後面部が上記前面部に接近する方向に上記第２の重ね合せ部を付勢しているスプリングと、で構成した。
【発明の効果】
【０００７】
上記スプリングのばね力に抗して上記前面部と上記後面部の間隔を開いて、これら前面部と後面部の間に上記撮像装置の前面と後面を挟んで、上記前面部と上記後面部の間隔を押し広げている力を解除すれば、上記スプリングのばね力によって、上記前面部と上記後面部の間隔は、自動的に縮小していって、上記前面部と上記後面部で上記撮像装置の前面と後面を挟んだ状態で上記撮像装置に取付けられる。
【発明を実施するための最良の形態】
【０００８】
図１は本発明のレンズアダプタ１を取り外して撮像装置１０１を前面側（撮像レンズ側）から見た斜視図、図２は撮像装置１０１を後面側から見た斜視図、図３はレンズアダプタ１を装着した撮像装置１０１を前面側から見た斜視図、図４はレンズアダプタ１を装着した撮像装置１０１を後面側から見た斜視図、図５はレンズアダプタ１を装着した撮像装置１０１の正面図、図６は同平面図、図７は同側面図、図８は同背面図である。
【０００９】
本発明のレンズアダプタ１を説明する前に撮像装置１０１について簡単に説明する。撮像装置１０１は、所謂カード型のデジタルスチルカメラとして構成されている。（以下、撮像装置１０１を単にカメラと称する）。カメラ１０１の外筐１０２は、扁平な直方体形状に形成されていて、前面１０２ａと、上，下面１０２ｂ，１０２ｃと、第１，第２側面１０２ｄ，１０２ｅと、後面１０２ｆと、を備えている。
【００１０】
上記前面１０２ａの上部の上記第２側面１０２ｅ寄りにはレンズ窓１０３が設けられていて、該レンズ窓１０３内には撮像レンズ１０４が配置されている。また、上記前面１０２ａの上部の略中央部にはフラッシュ装置１０５が配置されている。また、上記フラッシュ装置１０５の下部の上記レンズ窓１０３寄りにはセルフタイマーランプ１０６が配置されている。また、上記前面１０２ａには、レンズバリヤ１０７が上下方向にスライド可能に組み付けられている。図１に実線で示すように、上記レンズバリヤ１０７を下限位置までスライドさせると、上記撮像レンズ１０４、フラッシュ装置１０５、セルフタイマーランプ１０６が露出して撮影可能な状態になる。また、図１に２点鎖線で示すように、上記レンズバリヤ１０７を上限位置までスライドさせると、上記撮像レンズ１０４、フラッシュ装置１０５、セルフタイマーランプ１０６がレンズバリヤ１０７で覆われて保護される。
【００１１】
上記外筐１０２の上面１０２ｂの第１側面１０２ｄ側の半部には、手振れ補正ボタン１１１と、シャッターボタン１１２と、パワーボタン１１３と、マイクロホン１１４が設けられている。また、図２に示すように、上記第１の側面１０２ｄには記録媒体収納部開閉用の蓋部１１５が設けられている。
【００１２】
上記外筐１０２の後面１０２ｆには液晶等のディスプレイ１１６が設けられていると共に、該ディスプレイ１１６の上部にはモードスイッチ１１７が設けられている。また、上記ディスプレイ１１６の一側部と上記第１側面１０２ｄの間には操作ボタン配置スペース１１８が設けられていて、該操作ボタン配置スペース１１８にはズームボタン１１９、画面切替えボタン１２０、コントロールボタン１２１、画像サイズボタン１２２、露出補正ボタン１２３等が設けられている。
【００１３】
図３〜図８に示すように、本発明のレンズアダプタ１は、上記カメラ１０１の外筐１０２の上面１０２ｂと第２側面１０２ｅが連続する角部に被せるようにして取り付けて使用される。
【００１４】
図９〜図１１に拡大して示すように、レンズアダプタ１は、コンバージョンレンズやフィルター等の光学素子２が組み付けられていて上記カメラ１０１の外筐１０２の前面１０２ａ側に位置する前面部３と、上記カメラ１０１の外筐１０２の後面１０２ｆ側に位置する後面部４と、上記前面部３と上記後面部４の上端部を連結している連結部５と、上記前面部３の内面に取付けられるスペーサ６と、によって略コの字状に形成されて、上記前面部３と上記後面部４で上記外筐１０２の前面１０２ａと後面１０２ｆを挟んで上記カメラ１０１の外筐１０２に組付けられて使用される所謂挟着方式のレンズアダプタとして構成されている。
【００１５】
上記連結部５は、上記前面部３の上端部に該前面部３に対して略直角に形成された第１の重ね合せ部７と、上記後面部４の上端部に該後面部４に対して略直角に形成されていて、上記前面部３と上記後面部４を対向させた状態で上記第１の重ね合せ部７に重ね合わされる第２の重ね合せ部８と、上記第１の重ね合せ部７と上記第２の重ね合せ部８を上記前面部３と上記後面部４が互いに接近、離間する方向にスライド可能に組み付けているスライドガイド部９と、上記前面部３と上記後面部４が互いに接近する方向に上記第２の重ね合せ部８を付勢しているスプリング１０と、を備えている。
【００１６】
図１２に示すように、上記スライドガイド部９は、上記第１の重ね合せ部７に並行に形成された一対の長孔１１，１１と、上記第２の重ね合せ部８の下面に形成されていて、上記一対の長孔１１，１１に挿入されて上記長孔１１，１１内を移動する一対のガイド軸１２，１２と、からなっている。
【００１７】
上記光学素子２は、上記カメラ１０１の撮像レンズ１０４の倍率を広角あるいは望遠等に変換するコンバージョンレンズとして構成されていて、上記前面部３に組み付けられている。（以下、光学素子をコンバージョンレンズと称する）。
【００１８】
上記前面部３は、略矩形の筒状に形成されていて、その内周に上記コンバージョンレンズ２が嵌着されている。上述したように、上記第１の重ね合せ部７は、上記前面部３の上面３ａの一端部を背面側に突出させることにより、上記前面部３と一体に形成されている。
【００１９】
上記第１の重ね合せ部７は、上面に上記第２の重ね合せ部８の下端部を挿入する凹部１３を備え、内面には、図１３に示すように、後に説明するスペーサ６の上面側の端部２２を嵌合する凹部１４を備えている。上記凹部１４の底面には、上記凹部１３の底面に貫通させた状態で上記一対の長孔１１，１１が設けられている。
【００２０】
図１２に示すように、上記第１の重ね合せ部７は、上記一対の長孔１１，１１の間に上記スプリング１０の一端部を係止する第１のスプリング係止部１５を備えている。
【００２１】
上記後面部４は、透明の合成樹脂により方形状に形成されている。上述したように、上記後面部４の上端からは略直角に上記第２の重ね合せ部８が一体に形成されている。
【００２２】
上記第２の重ね合せ部８は、上記一対の長孔１１，１１内に挿入されて、これら長孔１１，１１内を移動する一対のガイド軸１２，１２を備えている。これら一対のガイド軸１２，１２の下端には、ねじ螺合孔１６が設けられていて、これらねじ螺合孔１６にねじ１７を螺合して、該ねじ１７の頭部１７ａと上記凹部１４の底面との下面の間に介在させた抜け止めリング１８によって、ガイド軸１２，１２が長孔１１，１１から抜けるのを防止する。上記第２の重ね合せ部８は、上記一対のガイド軸１２，１２の間に第２のスプリング係止部１９を備えている。
【００２３】
上記スプリング１０には、所謂圧縮コイルスプリングが用いられている。上記スプリング１０は、上記第１のスプリング係止部１５と上記第２のスプリング係止部１９の間に圧縮された状態で組み付けられていて、上記後面部４の内面４ａを上記第１の重ね合せ部７の先端面７ａに押し付け、上記第１の重ね合せ部７と上記第２の重ね合せ部８の間隔を最も狭めた状態に維持している。
【００２４】
上記第２の重ね合せ部８は、先端にプッシュ面２０を備えていて、該プッシュ面２０を押圧すると、上記スプリング１０を圧縮し、上記第２の重ね合せ部８は、上記第１の重ね合せ部７上をスライドして、上記後面部４を上記前面部３から離間する方向に移動する。
【００２５】
上記スライドガイド部９は、上記第１のスプリング係止部１５と上記第２のスプリング係止部１９の間で上記スプリング１０を圧縮させた状態で上記第１の重ね合せ部７上に上記第２の重ね合せ部８を重ね合せ、上記長孔１１，１１にガイド軸１２，１２を挿入し、これらガイド軸１２，１２の下端にねじ１７を螺合し、抜け止めリング１８によって、ガイド軸１２，１２が長孔１１，１１から抜けるのを防止することにより構成される。
【００２６】
上記スペーサ６は、厚さ等が異なるカメラ１０１に対してもレンズアダプタを使用可能にするためのものである。上記スペーサ６は、上記前面部３の内面側に着脱自在に取り付けられる。
【００２７】
図１４Ａに示すように、上記スペーサ６は、上記前面部３の内面に重ね合せる枠状部２１と、該枠状部２１の上端部に該枠状部２１と略直角に形成されていて上記第１の重ね合せ部７の内面に重ね合せる上面部２２と、上記枠状部２１の一側部から上記上面部２２の一側部に連続する側面部２３と、を備えている。
【００２８】
上記枠状部２１は、前面に上記略矩形の筒状の前面部３内に嵌合される第１の突部２４を備えていて、該第１の突部２４を上記前面部３の内面側に嵌合することにより、上記前面部３の内面側に重ね合される。
【００２９】
また、上記上面部２２は、上記第１重合部７の内面に設けた凹部１４に嵌合する第２の突部２５を備えていて、該第２の突部２５を上記凹部１４に嵌合することにより、上記第１重合部７の内面に重ね合される。
【００３０】
上記第２の突部２５は、上記ねじ１７の頭部１７ａおよび抜け止めリング１８を収容する一対の溝２６，２６を備えていて、これら溝２６，２６内を上記ねじ１７の頭部１７ａおよび抜け止めリング１８が移動するようになっている。
【００３１】
また、図１４Ｂに示すように、上記枠状部２１は、内面側に上記カメラ１０１の前面１０１ａに接触する撮像装置接触部２７を備えている。上記撮像装置接触部２７は、カメラ１０１の撮像レンズ１０４が臨む切欠部２８を備えている。上記撮像装置接触部２７は、上記枠状部２１の内面２１ａから所定の高さＨに形成されている。上記枠状部２１の内面２１ａと上記撮像装置接触部２７の内面２７ａとの間の上記高さＨにより生じる段差部２９に、所謂開いた状態における上記カメラ１０１のバリヤ１０７が収容される。上記スペーサ６は、適度の弾性を有する合成樹脂やゴム等の素材で形成されていて、上記凹部１３、１４への嵌合を容易、確実に行うことができるようになっていると共に、上記撮像装置接触部２７の内面２７ａをカメラ１０１の前面１０２ａに密着させるようになっている。
【００３２】
上記レンズアダプタ１は、上記高さＨ等が異なる複数種類のものが予め用意されていて、カメラ１０１の厚さ等に応じてを使い分けられる。
【００３３】
次に、上記レンズアダプタ１の作用について説明する。レンズアダプタ１を装着する際には、図１５，図９に示すように、上記プッシュ面２０を指先Ｆ等で押圧して、上記スプリング１０を圧縮しながら上記前面部３から上記後面部４を十分に離間させる。そして、上記前面部３と上記後面部４の間にカメラ１０１の撮像レンズ１０４側の角部を挿入する。そして、図１６に示すように、カメラ１０１の外筐１０２の第２側面１０２ｅを上記スペーサ６の側面部２３の内面２３ａに押し当て、且つカメラ１０１の外筐１０２の上面１０２ｂを上記スペーサ６の上面部２２の内面に押し当てると共に、図１７に示すように、カメラ１０１の外筐１０２の前面１０２ａを上記スペーサ６の枠状部２１に設けた撮像装置接触部２７の内面２７ａに押し付けると、上記カメラ１０１に対してレンズアダプタ１が位置決めされて、図５に示すように、撮像レンズ１０４が上記スペーサ６の枠状部２１に設けた切欠部２８内の中央部に位置する。
【００３４】
次に、上記プッシュ面２０の押圧を解除すると、図１８に示すように、上記スプリング１０のばね力（伸張力）で上記後面部４が上記前面部３側に移動し、上記後面部４で上記カメラ１０１の外筐１０２の後面１０２ｆを押さえて上記レンズアダプタ１をカメラ１０１に位置決め固定する。
【００３５】
図８に示すように、上記後面部４が上記カメラ１０１の外筐１０２の後面１０２ｆに配置されているディスプレイ１１６の一部を覆った状態になると、その部分の画像が見えなくなる虞がある。このような虞を無くすために、上記後面部４を透明な合成樹脂で形成することにより、上記後面部４を通してディスプレイ１１６を見ることができるようにしている。
【００３６】
また、上記後面部４がディスプレイ１１６の一部に接触する場合に、上記後面部４をディスプレイ１１６に強く押し付けると、ディスプレイ１１６がダメージを受ける虞がある。このため、上記スプリング１０は、上記後面部４をディスプレイ１１６に押し付けたときに、ディスプレイ１１６がダメージを受けない程度のばね力に設定される。
【００３７】
しかし、上記スプリング１０のばね力が弱いと、レンズアダプタ１がカメラ１０１から脱落し易くなる。そこで、図５に示すように、レンズアダプタ１を連結紐３１でカメラ１０１に連結しておくことにより、撮影中に万一、レンズアダプタ１がカメラ１０１から外れたような場合でも、地上等に落下して破損するのを未然に防止する。上記連結紐３１の一端部は、レンズアダプタ１の前面部３に設けた紐結合部３２に結合され、上記連結紐３１他端部は、上記カメラ１０１の外筐１０２の前面１０２ａに設けられた紐結合部３３に結合され、或いは図１９に示すように、カメラ１０１に取り付けられたリストストラップ３４に結合される。
【００３８】
図２０に示すように、上記レンズアダプタ１には、キャップ４１が着脱可能に取り付けられて、レンズ２を保護するようになっているとともに、レンズアダプタ１は、ケース５１に収容されて保管され、或いは携帯される。
【００３９】
レンズアダプタ１を使用するカメラ１０１の肉厚は、メーカーや機種によって多種多様であり、上記レンズアダプタ１の使用基準となる肉厚のカメラ１０１に対して、若干、肉厚の大きなカメラに上記レンズアダプタ１を使用する際には、上記スプリング１０を伸縮させることで対応できるが、肉厚Ｔが薄すぎるカメラ１０１には、上記レンズアダプタ１を使用することができない場合、即ち、上記前面部３と後面部４とでカメラ１０１を挟着できない場合がある。このような場合には、予め用意されている複数のスペーサの中から、図２１に示すように、上記枠状部２１の内面から撮像装置接触部２７まで高さＨの高いレンズアダプタ１Ａを選択使用することによって対応する。
【図面の簡単な説明】
【００４０】
【図１】レンズアダプタを取り外して撮像装置を前面側から見た斜視図。
【図２】レンズアダプタを取り外して撮像装置を後面側から見た斜視図。
【図３】レンズアダプタを装着した撮像装置を前面側から見た斜視図。
【図４】レンズアダプタを装着した撮像装置を後面側から見た斜視図。
【図５】レンズアダプタを装着した撮像装置の正面図。
【図６】レンズアダプタを装着した撮像装置の平面図。
【図７】レンズアダプタを装着した撮像装置の側面図。
【図８】レンズアダプタを装着した撮像装置の背面図。
【図９】レンズアダプタの斜視図。
【図１０】レンズアダプタの斜視図。
【図１１】Ａはレンズアダプタの正面図、Ｂはレンズアダプタの平面図、Ｃはレンズアダプタの側面図、Ｄはレンズアダプタの背面図。
【図１２】レンズアダプタの分解斜視図。
【図１３】前面部を裏返した状態の斜視図。
【図１４】Ａはスペーサの斜視図、Ｂはスペーサを裏返した状態の斜視図。
【図１５】プッシュ面を押圧して前面部と後面部の間隔を開いた状態の説明図。
【図１６】カメラの上面と第１側面でレンズアダプタを位置決めした状態の説明図。
【図１７】カメラの前面を前面部の内面の撮像装置接触部に押し付けた状態の説明図。
【図１８】レンズアダプタの前面部と後面部でカメラを挟着した状態を示す説明図。
【図１９】レンズアダプタをリストストラップに連結した状態を示す斜視図。
【図２０】レンズアダプタとキャップとケースを示す斜視図。
【図２１】スペーサの変形例を示す説明図。
【符号の説明】
【００４１】
１，１Ａ…レンズアダプタ、２…光学素子（コンバージョンレンズ）、３…前面部、４…後面部、５…連結部、６…スペーサ、７…第１の重ね合せ部、８…第２の重ね合せ部、９…スライドガイド部、１０…スプリング、１１…長孔、１２…ガイド軸、１５…第１のスプリング係止部、１９…第２のスプリング係止部、２０…プッシュ面、２１…枠状部、２２…上面部、２３…側面部、２７…撮像装置接触部、３１…連結紐。
【図１】
2008209457.tif 000003
【図２】
2008209457.tif 000004
【図３】
2008209457.tif 000005
【図４】
2008209457.tif 000006
【図５】
2008209457.tif 000007
【図６】
2008209457.tif 000008
【図７】
2008209457.tif 000009
【図８】
2008209457.tif 000010
【図９】
2008209457.tif 000011
【図１０】
2008209457.tif 000012
【図１１】
2008209457.tif 000013
【図１２】
2008209457.tif 000014
【図１３】
2008209457.tif 000015
【図１４】
2008209457.tif 000016
【図１５】
2008209457.tif 000017
【図１６】
2008209457.tif 000018
【図１７】
2008209457.tif 000019
【図１８】
2008209457.tif 000020
【図１９】
2008209457.tif 000021
【図２０】
2008209457.tif 000022
【図２１】
2008209457.tif 000023